(57)【要約】  遮断器不動作保護リレー（３０Ａ）は、第１の遮断器の開放指令（ＴＲ２）が入力される入力回路（３１）と、電力系統の電流検出信号の大きさを整定値と比較することによって過電流判定を行う遮断器不動作検出要素（４０Ａ）とを備える。遮断器不動作検出要素（４０Ａ）は、切替信号（ＳＳ１）に応じて整定値を第１の値と第１の値よりも大きい第２の値とに変更可能である。遮断器不動作保護リレー（３０Ａ）は、開放指令（ＴＲ２）が入力されかつ遮断器不動作検出要素（４０Ａ）によって過電流と判定された場合に、第１の遮断器の周辺の第２の遮断器の開放指令（ＴＲ３）を出力する。
2017183171.tif 000002
【特許請求の範囲】
【請求項１】
第１の遮断器の開放指令が入力される入力回路と、
電力系統の電流検出信号の大きさを整定値と比較することによって過電流判定を行う遮断器不動作検出要素とを備え、
前記遮断器不動作検出要素は、切替信号に応じて前記整定値を第１の値と前記第１の値よりも大きい第２の値とに変更可能であり、
前記開放指令が入力されかつ前記遮断器不動作検出要素によって過電流と判定された場合に、前記第１の遮断器の周辺の第２の遮断器の開放指令を出力する、遮断器不動作保護リレー。
【請求項２】
前記遮断器不動作保護リレーは、過電流判定以外の方法で前記電力系統の事故検出を行う電力系統事故検出要素をさらに備え、
前記電力系統事故検出要素は、事故検出時に前記整定値を前記第１の値に設定するために活性化された前記切替信号を出力する、請求項１に記載の遮断器不動作保護リレー。
【請求項３】
前記電力系統事故検出要素は、電流変化幅リレー要素、電圧変化幅リレー要素、または不足電圧リレー要素のいずれかを含む、請求項２に記載の遮断器不動作保護リレー。
【請求項４】
前記切替信号は、前記遮断器不動作保護リレーの外部の検知器からの出力信号であり、
前記検知器は、異常状態を検出していない場合に、前記整定値を前記第１の値に設定するために活性化された前記切替信号を出力する、請求項１に記載の遮断器不動作保護リレー。
【請求項５】
前記遮断器不動作保護リレーは、動作モードとして試験モードと通常運転モードとを有し、前記動作モードを設定するための動作モード設定回路をさらに備え、
前記動作モード設定回路は、前記動作モードが前記試験モードのときに前記整定値を前記第２の値に設定するために非活性状態の前記切替信号を出力し、前記動作モードが前記通常運転モードのときに前記整定値を前記第１の値に設定するために活性化された前記切替信号を出力する、請求項１に記載の遮断器不動作保護リレー。
【請求項６】
前記遮断器不動作検出要素は、
前記電力系統の電流検出信号の大きさを前記整定値と比較することによって過電流判定を行う過電流検出要素と、
前記過電流検出要素の前記整定値を変更する整定値変更処理回路とを含み、
前記整定値変更処理回路は、前記切替信号が活性化されているときに前記整定値を前記第１の値に設定し、前記切替信号が非活性状態のときに前記整定値を前記第２の値に設定する、請求項１〜５のいずれか１項に記載の遮断器不動作保護リレー。
【請求項７】
前記遮断器不動作検出要素は、
整定値が前記第１の値に設定された第１の過電流検出要素と、
整定値が前記第２の値に設定された第２の過電流検出要素とを含み、
前記遮断器不動作保護リレーは、前記切替信号が活性化されているときに前記第１の過電流検出要素の判定結果を出力し、前記切替信号が非活性状態のときに前記第２の過電流検出要素の判定結果を出力するように構成される、請求項１〜５のいずれか１項に記載の遮断器不動作保護リレー。
【請求項８】
電力系統の事故検出時に、第１の遮断器を開放するための第１の開放指令と前記第１の遮断器の周辺の第２の遮断器を開放するための第２の開放指令とを出力する保護リレーと、
遮断器不動作保護リレーとを備え、
前記遮断器不動作保護リレーは、
前記第１の開放指令が入力される入力回路と、
前記電力系統の電流検出信号の大きさを整定値と比較することによって過電流判定を行う遮断器不動作検出要素とを含み、
前記遮断器不動作検出要素は、切替信号に応じて前記整定値を第１の値および前記第１の値よりも大きい第２の値とに変更可能であり、
前記遮断器不動作保護リレーは、前記第１の開放指令が入力されかつ前記遮断器不動作検出要素によって過電流と判定された場合に、前記第２の遮断器を開放するための第３の開放指令を出力し、
前記第２の遮断器は、前記第２の開放指令および前記第３の開放指令の両方を受けたときに開放する、保護リレーシステム。
【発明の詳細な説明】
【技術分野】
【０００１】
本開示は、遮断器不動作保護リレーに関し、さらに遮断器不動作保護リレーを含む保護リレーシステムに関する。
【背景技術】
【０００２】
系統事故発生時に保護リレーから遮断器に開放信号を出力しても、遮断器の不良によって遮断器が適切にその責務を果たせない場合がある。このような遮断器不動作（ＣＢＦ：Circuit  Breaker  Failure）が生じると、事故電流による機器損傷、事故範囲の拡大、停電範囲の広範囲化、系統安定度の低下、電力系統全体への事故の波及などが起きてしまう。【０００３】
そこで、事故除去を速やかに行うために、ＣＢＦを検出したときに隣接する遮断器に開放指令（トリップ信号）を出力するＣＢＦリレー（遮断器不動作保護リレー）が設けられる。一般に、ＣＢＦリレーは、遮断器不動作によって事故電流が遮断されなかったことを検出するための過電流（ＯＣ：Over-Current）リレー要素を含む。ＣＢＦリレーは、メインの保護リレー装置からのトリップ信号を受信し、かつ、過電流リレー要素によって過電流を検出した場合に、隣接する遮断器を開放するためのトリップ信号を出力するように構成される（たとえば、特開平５−２２８５０号公報（特許文献１）参照）。
【先行技術文献】
【特許文献】
【０００４】
【特許文献１】特開平５−２２８５０号公報
【発明の概要】
【発明が解決しようとする課題】
【０００５】
電力系統の事故電流の大きさは、通常は電力系統の正常時の負荷電流の大きさよりも大きな値となるが、ある特定の場合には負荷電流の大きさよりも小さな値となることがある。たとえば、地絡故障の場合の回り込み電流が事故電流として流入する場合、送電線の両端に電源が接続されている場合において低電圧の電源からの電流が遮断されずに残っている場合、地絡故障の場合の故障点抵抗が大きい場合などに、負荷電流よりも小さな事故電流が流れる。【０００６】
ＣＢＦリレーによって遮断器不動作を確実に検出するためには、上記のような負荷電流よりも小さな事故電流も過電流リレー要素によって検出可能なように過電流リレー要素の整定値を設定する必要がある。しかしながら、この場合には、正常時の負荷電流もＣＢＦリレーの過電流リレー要素によって検出されることになるので、ＣＢＦリレーがメインの保護リレー装置からのトリップ信号を誤検出すると、ＣＢＦリレーが誤動作してしまうことになる。詳しくは後述するように、点検時にトリップ信号線を誤って地絡させた場合に、トリップ信号を誤検出する場合がある。【０００７】
ＣＢＦリレーが誤動作すると、周辺の遮断器を動作させることから、電力系統から切り離される停電区間が広範囲となってしまう。さらに、ＣＢＦリレーは、トリップ指令の出力後に再閉路指令を出力しないので、落雷および飛来物の接触などのフラッシオーバの場合にも停電時間が長引いてしまうという問題が生じる。したがって、ＣＢＦリレーの誤動作はできるだけ避けなければならない。【０００８】
上記のＣＢＦリレーの誤動作の問題を解消するために、ＣＢＦリレーの過電流リレー要素の整定値を負荷電流が検出できない程度に大きな値に設定することが考えられる。しかしながら、そうすると、上記したように負荷電流よりも小さな事故電流が検出されないので、遮断器不動作への対策が完全に行われないことになる。【０００９】
この発明は、上記の問題点を考慮してなされたものであり、その主な目的は、遮断器不動作を確実に検出するとともに、保護リレー装置からのトリップ信号を誤検出した場合でも誤動作することのない遮断器不動作保護リレーを提供することである。
【課題を解決するための手段】
【００１０】
この発明の遮断器不動作保護リレーは、第１の遮断器の開放指令が入力される入力回路と、電力系統の電流検出信号の大きさを整定値と比較することによって過電流判定を行う遮断器不動作検出要素とを備える。遮断器不動作検出要素は、切替信号に応じて整定値を第１の値と第１の値よりも大きい第２の値とに変更可能である。遮断器不動作保護リレーは、開放指令が入力されかつ遮断器不動作検出要素によって過電流と判定された場合に、第１の遮断器の周辺の第２の遮断器の開放指令を出力する。
【発明の効果】
【００１１】
この発明によれば、保護リレーシステムの点検時などでは、整定値を第２の値に設定することによって遮断器不動作保護リレーの誤動作を防止することができる。保護リレーシステムの通常運転時には、整定値を第１の値に設定することによって遮断器不動作を確実に検出することができる。
【図面の簡単な説明】
【００１２】
【図１】保護リレーシステムが設置された電力系統の全体構成を模式的に示す図である。
【図２】図１のメインリレーおよびＣＢＦリレーの各々を構成するデジタル保護リレー装置のハードウェア構成を示すブロック図である。
【図３】トリップ信号の誤検出の原因について説明するための図である。
【図４】第１の実施形態によるＣＢＦリレーの機能的構成を示すブロック図である。
【図５】図４の整定値変更処理回路による整定値変更手順を示すフローチャートである。
【図６】第２の実施形態によるＣＢＦリレーの機能的構成を示すブロック図である。
【図７】図６の変形例によるＣＢＦリレーの機能的構成を示すブロック図である。
【図８】第３の実施形態によるＣＢＦリレーの機能的構成を示すブロック図である。
【図９】図８の整定値変更処理回路による整定値変更手順を示すフローチャートである。
【図１０】第４の実施形態によるＣＢＦリレーの機能的構成を示すブロック図である。
【図１１】第５の実施形態によるＣＢＦリレーの機能的構成を示すブロック図である。
【図１２】図１１の整定値変更処理回路による整定値変更手順を示すフローチャートである。
【図１３】第６の実施形態によるＣＢＦリレーの機能的構成を示すブロック図である。
【図１４】第７の実施形態によるＣＢＦリレーの機能的構成を示すブロック図である。
【図１５】第８の実施形態による保護リレーシステムの構成を示すブロック図である。
【発明を実施するための形態】
【００１３】
以下、各実施形態について図面を参照して詳しく説明する。なお、同一または相当する部分には同一の参照符号を付して、その説明を繰り返さない場合がある。
【００１４】
＜第１の実施形態＞
［電力系統の構成］
図１は、保護リレーシステムが設置された電力系統の全体構成を模式的に示す図である。図１に示す電力系統では、電線１が母線２，３に接続されている。さらに、電線１には、遮断器４，５，６および電流変成器７が設けられている。図１の電力系統が三相交流用の場合には、遮断器４，５，６および電流変成器７は各相の電線に設けられている。
【００１５】
保護リレーシステム１０は、電力系統の事故を検出するための保護リレー装置２０と遮断器不動作保護リレー装置３０とを含む。この明細書では、簡単のために、保護リレー装置２０をメインリレー２０とも称し、遮断器不動作保護リレー装置３０をＣＢＦリレー３０とも称する。
【００１６】
通常、メインリレー２０とＣＢＦリレー３０とは共通のキャビネットに収納されている。このキャビネットには前扉と後扉とが設けられている。前扉を開けるとメインリレー２０の操作パネルおよびＣＢＦリレー３０の操作パネルが操作可能になる。後扉を開けると、メインリレー２０およびＣＢＦリレーに接続された各配線の点検あるいは各配線の接続等が可能になる。
【００１７】
メインリレー２０は、電線１に設けられた電流変成器７からの電流検出信号ＣＳに基づいて電力系統での事故発生を検出し、事故検出時に遮断器４にトリップ信号ＴＲ１（開放指令）を出力するとともにＣＢＦリレー３０にトリップ信号ＴＲ２（開放指令）を出力する（共通のデジタル出力回路から出力されたトリップ信号（開放指令）が分岐され、分岐後の信号が遮断器４とＣＢＦリレー３０とにそれぞれ入力されるようにしてもよい）。メインリレー２０による事故判定方式は特に限定されない。メインリレー２０は、たとえば、電流差動リレー要素を含んでもよいし、距離リレー要素を含んでもよい。電流差動リレー要素の場合には、電線１に設けられた他の電流変成器（不図示）からの電流検出信号もメインリレー２０に入力される。距離リレー要素の場合は、母線２に設けられた電圧変成器（不図示）からの電圧検出信号もメインリレー２０に入力される。
【００１８】
ＣＢＦリレー３０は、電流変成器７からの電流検出信号ＣＳに基づいて事故電流の有無を判定するためのＣＢＦ検出要素（たとえば、図４の参照符号４０Ａ）を含む。ＣＢＦリレー３０は、メインリレー２０からトリップ信号ＴＲ２を受けた後に遮断器４の開放に要する時間が経過しても事故電流が検出されている場合に、遮断器４の不動作と判断して周辺の遮断器５，６をそれぞれ遮断するためのトリップ信号ＴＲ３を出力する。トリップ信号ＴＲ３は分岐されて遮断器５，６にそれぞれ入力される（異なるデジタル出力回路から出力されたトリップ信号が遮断器５，６にそれぞれ入力されるようにしてもよい）。
【００１９】
上記のメインリレー２０およびＣＢＦリレー３０は、図２に示すデジタル保護リレー装置によって構成される。
【００２０】
［デジタル保護リレー装置のハードウェア構成］
図２は、図１のメインリレーおよびＣＢＦリレーの各々を構成するデジタル保護リレー装置のハードウェア構成を示すブロック図である。図２を参照して、デジタルリレー装置１００（図１の２０，３０）は、補助変成器１０２＿１，１０２＿２，…を内蔵する入力変換ユニット１０１と、デジタルリレーユニット１０３とを含む。
【００２１】
入力変換ユニット１０１は、図１の電流変成器７で各相ごとに取得された三相交流電流の電流信号が入力される入力部である。各補助変成器１０２は、電流変成器７からの電流信号をデジタルリレーユニット１０３での信号処理に適した電圧レベルの電圧信号に変換する。
【００２２】
デジタルリレーユニット１０３は、アナログフィルタ（ＡＦ：Analog  Filter）１０４＿１，１０４＿２，…と、サンプルホールド回路（Ｓ／Ｆ：Sample  &  Hold  Circuit）１０５＿１，１０５＿２，…と、マルチプレクサ（ＭＰＸ：Multiplexer）１０６と、アナログデジタル（Ａ／Ｄ：Analog  to  Digital）変換器１０７とを含む。デジタルリレーユニット１０３は、さらに、ＣＰＵ（Central  Processing  Unit）１０８と、ＲＡＭ（Random  Access  Memory）１０９と、ＲＯＭ（Read  Only  Memory）１１０と、複数のデジタル入力（Ｄ／Ｉ：Digital  Input）回路１１１と、複数のデジタル出力（Ｄ／Ｏ：Digital  Output）回路１１２と、これらの各構成要素を接続するバス１１３とを含む。
【００２３】
各アナログフィルタ１０４は、Ａ／Ｄ変換の際の折返し誤差を除去するために設けられ、たとえばローパスフィルタである。各サンプルホールド回路１０５は、対応のアナログフィルタ１０４を通過した信号を所定のサンプリング周波数でサンプリングして保持する。マルチプレクサ１０６は、サンプルホールド回路１０５＿１，１０５＿２，…に保持された電圧信号を順次選択する。Ａ／Ｄ変換器１０７は、マルチプレクサによって選択された電圧信号をデジタル値に変換する。ＣＰＵ１０８は、ＲＯＭ１１０および図示しない外部記憶装置に格納されたプログラムに従って動作し、Ａ／Ｄ変換器１０７から出力されたデジタルデータに基づいて各種の保護要素の演算などを行う。Ｄ／Ｏ回路１１２からは、遮断器を開放するためのトリップ信号（開放指令）が出力される。図１のＣＢＦリレー３０のＤ／Ｉ回路１１１には、メインリレー２０のＤ／Ｏ回路１１２から出力されたトリップ信号ＴＲ２が入力される。
【００２４】
［トリップ信号の誤検出について］
図３は、トリップ信号の誤検出の原因について説明するための図である。図３には、図１のメインリレー２０のＤ／Ｏ回路２１と、ＣＢＦリレー３０のＤ／Ｉ回路３１と、メインリレー２０およびＣＢＦリレー３０を駆動するためのＤＣ電源１２１，１２２とが図示されている。
【００２５】
変電所内ではＤＣ電源１２１，１２２として蓄電池が用いられる。一般に、感電の観点などから対地電位を下げるために、ＤＣ電源１２１，１２２の中点は接地された構成となっている。したがって、ＤＣ電源１２１の電源電圧（＋Ｖ／２）がかかる信号線１２３と、ＤＣ電源１２２の電源電圧（−Ｖ／２）がかかる信号線１２４とによって、メインリレー２０のＤ／Ｏ回路２１と、ＣＢＦリレー３０のＤ／Ｉ回路３１とが接続される。
【００２６】
ＣＢＦリレー３０のＤ／Ｉ回路３１は、たとえば、フォトカプラ（フォトダイオード３２およびフォトトランジスタ３３）によって入力電圧Ｖ＿ＤＩを検出する。ＣＢＦリレー３０は、その入力電圧Ｖ＿ＤＩの論理レベルが“１”（活性状態）か“０”（非活性状態）かを判定する。この明細書では、活性状態を“１”に対応付け、非活性状態を“０”に対応付けている。また、各論理演算は正論理であるとしている。しかしながら、必ずしもこの対応付けに限らないことは言うまでもない。
【００２７】
メインリレー２０とＣＢＦリレー３０を結ぶ信号線が健全な場合において、メインリレー２０がトリップ信号を出力すると（すなわち、メインリレー２０のＤ／Ｏ回路２１のスイッチがオン状態となると）、ＣＢＦリレー３０のＤ／Ｉ回路３１の入力端子間に電圧Ｖが生じ、ＣＢＦリレー３０はトリップ信号入力として“１”を検出する。
【００２８】
一方、メインリレー２０とＣＢＦリレー３０とを結ぶ高電圧（＋Ｖ／２）側の信号線１２３の故障点１２５で地絡故障が発生したとする。たとえば、点検中に誤って信号線１２３を地絡させた場合を想定する。この場合、高電圧側の信号線１２３の電圧は０ボルトとなるが、低電圧側の信号線１２４の電圧は−Ｖ／２であるので、ＣＢＦリレー３０のＤ／Ｉ回路３１の入力端子間に＋Ｖ／２の電圧が生じる。この結果、Ｄ／Ｉ回路の検出電圧の閾値によっては（検出電圧の閾値がＶ／２以下の場合）、ＣＢＦリレー３０はトリップ信号入力として“１”が入力されたと誤検出する。
【００２９】
ここで、図１のＣＢＦリレー３０のＣＢＦ検出要素が過電流判定要素のみで構成されており、その整定値が電力系統の健全時の負荷電流よりも小さな事故電流を検出可能な値に設定されていたとする。そうすると、電力系統の健全時にも過電流判定要素は過電流と判定することになる。そして、この状態で上記のメカニズムによってＣＢＦリレー３０がトリップ信号を誤検出した場合には、ＣＢＦリレー３０は誤動作し、周辺の遮断器に誤ってトリップ信号を出力することになる。以下に説明するように、本実施形態のＣＢＦリレー３０は、このような場合にも誤動作をしないように工夫されている。
【００３０】
［ＣＢＦリレーの構成および動作］
図４は、第１の実施形態によるＣＢＦリレーの機能的構成を示すブロック図である。図４のＣＢＦリレー３０Ａは、図１のＣＢＦリレー３０に対応する。なお、後続する他の実施形態のＣＢＦリレー３０Ｂ〜３０Ｈも図１のＣＢＦリレー３０に対応する。
【００３１】
図４を参照して、ＣＢＦリレー３０Ａは、メインリレー２０からのトリップ信号ＴＲ２が入力されるＤ／Ｉ回路３１と、ＣＢＦ検出要素４０Ａと、系統事故検出要素４５と、ＡＮＤゲート４３と、オンディレータイマ（On-Delay  Timer）４４とを含む。オンディレータイマは、設定時間ｔの経過後に出力するタイマである。上記のＤ／Ｉ回路３１以外の各要素は、図２のＣＰＵ１０８によってプログラムが実行されることによって実現される。なお、ＣＰＵ１０８に代えて、専用の回路を用いることによってもＣＢＦリレー３０の上記要素を実現可能であることは言うまでもない。
【００３２】
ＣＢＦ検出要素４０Ａは、図１の電流変成器７からの電流検出信号ＣＳの大きさと整定値とを比較し、比較結果に基づいて遮断器４の不動作を検出する。ここで、ＣＢＦ検出要素４０Ａの整定値は切替信号ＳＳ１に応じて変更可能な点に特徴がある。具体的に、ＣＢＦ検出要素４０Ａは、過電流判定要素４１と、整定値変更処理回路４２とを含む。
【００３３】
過電流判定要素４１は、図１の電流変成器７からの電流検出信号ＣＳの大きさが整定値を超えているか否かを判定し、電流検出信号ＣＳが整定値を超えている場合に過電流を表す論理レベル“１”の信号を出力する。
【００３４】
整定値変更処理回路４２は、系統事故検出要素４５からの切替信号ＳＳ１が活性状態のときに過電流判定要素４１の整定値を、想定される最も小さな大きさの事故電流（電力系統の正常時の負荷電流の大きさよりも小さい）を検出可能な値（高感度の値）に設定する。ここで、電流の大きさとは電流の振幅または実効値を表す。一方、整定値変更処理回路４２は、切替信号ＳＳ１が非活性状態のときに過電流判定要素４１の整定値を負荷電流よりも大きな事故電流のみを検出可能な値（低感度の値）に設定する。低感度の整定値は高感度の整定値よりも大きい値である。
【００３５】
系統事故検出要素４５は、過電流判定要素４１と異なる方法によって電力系統事故を検出する。したがって、系統事故検出要素４５は、正常時の負荷電流を系統事故として検出することはない。具体的に図４に示すように、系統事故検出要素４５は、電流変化幅リレー４６とオフディレータイマ（Off-Delay  Timer）４７とを含む。
【００３６】
電流変化幅リレー４６は、たとえば、現時点の電流の瞬時値と１サイクル前（もしくは、２サイクル前、３サイクル前など）の電流の瞬時値との差が所定の閾値を超えているか否かを判定する。もしくは、電流変化幅リレー４６は、現時点の電流の瞬時値と０．５サイクル前（もしくは、１．５サイクル前、２．５サイクル前など）の電流の瞬時値との和が所定の閾値を超えているか否かを判定する。したがって、電流変化幅リレー４６は、電力系統の振幅の急変または位相の急変を検出することができる。電流変化幅リレー４６に代えて、電圧変化幅リレーまたは不足電圧リレーなどを用いることもできる。
【００３７】
オフディレータイマ４７は、設定時間ｔの経過後に出力が０となるタイマである。オフディレータイマ４７の設定時間は、オンディレータイマ４４の設定時間よりも長い時間に設定される。少なくともオンディレータイマ４４の設定時間の経過後、トリップ信号ＴＲ３が活性化するまで継続する必要がある。
【００３８】
ＡＮＤゲート４３は、メインリレーからのトリップ信号ＴＲ２の論理レベルが“１”であり、かつ、ＣＢＦ検出要素４０Ａが遮断器不動作を検出している（すなわち、過電流判定要素４１の出力信号の論理レベルが“１”である）場合に、オンディレータイマ４４を介してトリップ信号ＴＲ３を周辺の遮断器５，６に出力する。
【００３９】
オンディレータイマは、設定時間ｔの経過後に出力するタイマである。オンディレータイマ４４の設定時間ｔは、遮断器４が開放するのに要する時間と過電流判定要素４１の出力が“０”に復帰するのに要する時間とを加算した時間に設定する必要があり、一般には約１００ｍ秒〜約１５０ｍ秒に設定される。
【００４０】
図５は、図４の整定値変更処理回路による整定値変更手順を示すフローチャートである。図４および図５を参照して、整定値変更処理回路４２は、系統事故検出要素４５によって系統事故が検出されている場合、すなわち、切替信号ＳＳ１が活性化されているときには（ステップＳ１００でＹＥＳ）、過電流判定要素４１の整定値を下げる（ステップＳ１１０）。その後、所定時間ｔ１が経過したら（ステップＳ１２０でＹＥＳ）、整定値を元の値（負荷電流よりも大きい事故電流のみを検出可能な低感度の値）に戻す（ステップＳ１３０）。所定時間ｔ１は、メインリレー２０が系統事故を検出してトリップ信号ＴＲ１を出力し、これによって遮断器４の開放が完了するまでの時間以上に設定する。たとえば、所定時間ｔ１は１秒以上に設定される。
【００４１】
［効果］
以上のとおり、第１の実施形態のＣＢＦリレー３０Ａによれば、系統事故検出要素４５（電流変化幅リレー）によって電力系統事故が検出されている場合にのみ、ＣＢＦリレーの過電流判定要素４１の整定値が負荷電流よりも小さな値に設定される。したがって、点検時にメインリレー２０のトリップ信号の入力線が短絡するなどして、トリップ信号が誤入力された場合でも、ＣＢＦリレー３０Ａの誤動作を防止することができる。
【００４２】
＜第２の実施形態＞
図６は、第２の実施形態によるＣＢＦリレーの機能的構成を示すブロック図である。図６のＣＢＦリレー３０Ｂは、ＣＢＦ検出要素４０Ｂの構成が図４のＣＢＦ検出要素４０Ａの構成と異なる。図６のＣＢＦリレー３０Ｂのその他の構成は、図４のＣＢＦリレー３０Ａの構成と同様であるので、同一または相当する部分には同一の参照符号を付して説明を繰り返さない。
【００４３】
図６のＣＢＦ検出要素４０Ｂは、図１の電流変成器７からの電流検出信号ＣＳの大きさと整定値とを比較し、比較結果に基づいて遮断器４の不動作を検出する。ここで、ＣＢＦ検出要素４０Ｂの整定値は切替信号ＳＳ１を用いた論理演算によって変更される点で、図４のＣＢＦ検出要素４０Ａと異なる。
【００４４】
具体的には図６に示すように、ＣＢＦ検出要素４０Ｂは、低感度過電流判定要素５０と、高感度過電流判定要素５１と、ＡＮＤゲート５２と、ＯＲゲート５３とを含む。低感度過電流判定要素５０は、過電流判定要素の整定値が負荷電流よりも大きな事故電流のみを検出可能な値に設定されたものである。高感度過電流判定要素５１は、過電流判定要素の整定値が負荷電流よりも小さい事故電流を検出可能な値（想定される最小の大きさの事故電流を検出可能な値）に設定されたものである。
【００４５】
ＡＮＤゲート５２は、高感度過電流判定要素５１の出力信号の論理レベルが“１”でありかつ系統事故検出要素４５から出力された切替信号ＳＳ１の論理レベルが“１”の場合に論理レベル“１”の信号を出力する。ＯＲゲート５３は、ＡＮＤゲート５２の出力信号の論理レベルが“１”の場合、または低感度過電流判定要素５０の出力信号の論理レベルが“１”の場合に、論理レベル“１”の信号をＣＢＦ検出要素４０Ｂの出力信号として出力する。
【００４６】
したがって、ＣＢＦ検出要素４０Ｂは、系統事故検出要素４５によって系統事故が検出されている場合には、高感度過電流判定要素５１の判定結果に基づく信号を出力し、系統事故検出要素４５によって系統事故が検出されていない場合には、低感度過電流判定要素５０の判定結果に基づく信号を出力するように構成されている。
【００４７】
以上の構成によっても第１の実施形態の場合と同様に、ＣＢＦ検出要素４０Ｂの過電流判定要素４１の整定値を、系統事故が発生しているか否かによって動的に切り替えることができる。この結果、ＣＢＦリレー３０Ｂにトリップ信号が誤入力された場合でも、ＣＢＦリレー３０Ｂの誤動作を防止することができる。
【００４８】
図７は、図６の変形例によるＣＢＦリレーの機能的構成を示すブロック図である。図７のＣＢＦリレー３０ＣのＣＢＦ検出要素４０Ｃは、図６のＣＢＦリレー３０ＢのＣＢＦ検出要素４０ＢとＡＮＤゲート４３とを１つにまとめたものである。さらに、図７のＣＢＦリレー３０Ｃと図６のＣＢＦリレー３０Ｂとでは論理演算の順番が異なる。しかしながら、実質的には両者は入力信号に対して同じ論理演算を行っている。
【００４９】
具体的に図７のＣＢＦ検出要素４０Ｃは、低感度過電流判定要素５０と、高感度過電流判定要素５１と、ＡＮＤゲート５２と、ＯＲゲート５３と、ＡＮＤゲート５４とを含む。ＡＮＤゲート５２は、高感度過電流判定要素５１の出力信号の論理レベルが“１”であり、かつ系統事故検出要素４５から出力された切替信号ＳＳ１の論理レベルが“１”であり、かつメインリレー２０からのトリップ信号ＴＲ２の論理レベルが“１”の場合に論理レベル“１”の信号を出力する。ＡＮＤゲート５４は、低感度過電流判定要素５０の出力信号の論理レベルが“１”であり、かつメインリレー２０からのトリップ信号ＴＲ２の論理レベルが“１”の場合に論理レベル“１”の信号を出力する。ＯＲゲート５３は、ＡＮＤゲート５２の出力信号の論理レベルが“１”の場合、またはＡＮＤゲート５４の出力信号の論理レベルが“１”の場合に、オンディレータイマ４４を介してトリップ信号ＴＲ３を出力する。
【００５０】
したがって、ＣＢＦ検出要素４０Ｃは、系統事故検出要素４５によって系統事故が検出され、かつメインリレー２０からトリップ信号ＴＲ２が入力されている場合には、高感度過電流判定要素５１の判定結果に基づく信号をトリップ信号ＴＲ３として出力する。一方、ＣＢＦ検出要素４０Ｃは、系統事故検出要素４５によって系統事故が検出されておらず、かつメインリレー２０からトリップ信号ＴＲ２が入力されている場合には、低感度過電流判定要素５０の判定結果に基づく信号をトリップ信号ＴＲ３として出力する。
【００５１】
＜第３の実施形態＞
図８は、第３の実施形態によるＣＢＦリレーの機能的構成を示すブロック図である。図８のＣＢＦリレー３０Ｄは、系統事故検出要素４５に代えて動作モード設定回路６０が設けられている点で図４のＣＢＦリレー３０Ａと異なる。図８のＣＢＦ検出要素４０Ｄは、図４のＣＢＦ検出要素４０Ａとほぼ同じ構成を有し、過電流判定要素４１と整定値変更処理回路６１とを含む。図８のＣＢＦリレー３０Ｄのその他の構成は、図４のＣＢＦリレー３０Ａの場合と同様であるので、同一または相当する部分には同一の参照符号を付して説明を繰り返さない。
【００５２】
ＣＢＦリレーの動作モードは「試験モード」と「通常運転モード」とを有する。動作モード設定回路６０は、この動作モードを設定するための回路であり、設定された動作モードを記憶する。動作モード設定回路６０は、「通常運転モード」のときに整定値変更処理回路６１に出力する切替信号ＳＳ２を活性状態（“１”）にし、「試験モード」のときに切替信号ＳＳ２を非活性状態（“０”）にする。
【００５３】
過電流判定要素４１は、図１の電流変成器７からの電流検出信号ＣＳが整定値を超えているか否かを判定し、電流検出信号ＣＳが整定値を超えている場合に過電流を表す論理レベル“１”の信号を出力する。
【００５４】
整定値変更処理回路６１は、動作モード設定回路６０からの切替信号ＳＳ２が活性状態（“１”）のときに過電流判定要素４１の整定値を、負荷電流よりも低い事故電流（想定される最も低い事故電流）が検出可能な値（高感度の整定値）に設定する。整定値変更処理回路６１は、切替信号ＳＳ２が非活性状態（“０”）のときに過電流判定要素４１の整定値を、負荷電流よりも高い事故電流のみが検出可能な値（低感度の整定値）に設定する。低感度の整定値は高感度の整定値よりも大きい値である。以下、整定値変更処理回路６１の動作を図９のフローチャートを参照してより具体的に説明する。
【００５５】
図９は、図８の整定値変更処理回路による整定値変更手順を示すフローチャートである。図８および図９を参照して、整定値変更処理回路６１は、ＣＢＦリレー３０Ｄの動作モードが「試験モード」（切替信号ＳＳ２の論理レベルが“０”）の場合には（ステップＳ２００でＹＥＳ）、過電流判定要素４１の整定値が低感度の整定値でなければ（ステップＳ２１０でＮＯ）、過電流判定要素４１の整定値を低感度の整定値に変更する（ステップＳ２２０）。
【００５６】
一方、整定値変更処理回路６１は、ＣＢＦリレー３０Ｄの動作モードが「通常運転モード」（切替信号ＳＳ２の論理レベルが“１”）の場合には（ステップＳ２００でＮＯ）、過電流判定要素４１の整定値が低感度の整定値であれば（ステップＳ２３０でＹＥＳ）、過電流判定要素４１の整定値を高感度の整定値に変更する（ステップＳ２４０）。
【００５７】
以上の第３の実施形態のＣＢＦリレー３０Ｄによれば、動作モードに応じてＣＢＦ検出要素４０Ｄの過電流判定要素４１の整定値を動的に切り替えることができる。したがって、保護リレーシステム１０の点検時には、ＣＢＦリレー３０Ｄの動作モードを予め「試験モード」に切り替えておくことによって、ＣＢＦリレー３０Ｄにトリップ信号ＴＲ２が誤入力された場合でも、ＣＢＦリレー３０Ｄの誤動作を防止することができる。
【００５８】
＜第４の実施形態＞
図１０は、第４の実施形態によるＣＢＦリレーの機能的構成を示すブロック図である。図１０のＣＢＦリレー３０Ｅは、外部の検知器１３０の出力信号に基づいてＣＢＦ検出要素４０Ｅの整定値が高感度の場合と低感度の場合とに切り替えられる点に特徴がある。
【００５９】
検知器１３０は、たとえば、メインリレー２０およびＣＢＦリレー３０Ｅが収納されたキャビネットの後扉の開閉を検知するためのリミットスイッチまたは近接センサなどである。もしくは、検知器１３０は、キャビネット内部の端子台を覆うカバーが取り外されているか否かを検知するためのリミットスイッチまたは近接センサなどである。もしくは、検知器１３０は、ＣＢＦリレーが収納されたキャビネットの裏面側内部（端子台の近傍）において、人の手などの人体が接近したことを検出するためのセンサであってもよい。キャビネットの後扉および端子台のカバーが閉じていることが検知器１３０によって検出された場合（より一般的には、異常状態が検出されていない場合、すなわち、通常運転状態の場合）、検知器１３０の出力信号（切替信号ＳＳ３）の論理レベルは“１”（活性状態）になるものとする。逆に検知器１３０によってキャビネットの後扉および端子台のカバーが開いていることが検知器１３０によって検出された場合（より一般的には、異常状態が検出されている場合、すなわち、点検中などであって通常運転状態でない場合）検知器１３０の出力信号（切替信号ＳＳ３）の論理レベルは“０”（非活性状態）になるものとする。
【００６０】
ＣＢＦリレー３０Ｅは、メインリレー２０からのトリップ信号ＴＲ２が入力されるＤ／Ｉ回路３１と、検知器１３０の出力信号（切替信号ＳＳ３）が入力されるＤ／Ｉ回路３４と、ＣＢＦ検出要素４０Ｅと、ＡＮＤゲート４３と、オンディレータイマ４４とを含む。さらに、ＣＢＦ検出要素４０Ｅは、図６で説明した低感度過電流判定要素５０および高感度過電流判定要素５１と、ＯＲゲート６２とを含む。
【００６１】
ＯＲゲート６２は、検知器１３０の出力信号（切替信号ＳＳ３）の論理レベルが“１”である場合、または、低感度過電流判定要素５０の出力信号の論理レベルが“１”の場合に論理レベル“１”の出力信号を出力する。ＡＮＤゲート４３は、メインリレー２０からのトリップ信号ＴＲ２の論理レベルが“１”であり、かつＯＲゲート６２からの出力信号の論理レベルが“１”であり、かつ高感度過電流判定要素５１の出力信号の論理レベルが“１”である場合にオンディレータイマ４４を介してトリップ信号ＴＲ３を周辺の遮断器５，６に出力する。
【００６２】
したがって、図１０のＣＢＦリレー３０Ｅでは、検知器１３０の出力信号（切替信号ＳＳ３）の論理レベルが“１”（活性状態）の場合、低感度過電流判定要素５０の出力信号によらず、高感度過電流判定要素５１の出力信号に基づいてトリップ信号ＴＲ３が出力されるか否かが判定される。一方、検知器１３０の出力信号（切替信号ＳＳ３）の論理レベルが“０”（非活性状態）の場合、低感度過電流判定要素５０の出力信号に基づいてトリップ信号ＴＲ３が出力されるか否かが判定される。後者の場合、低感度過電流判定要素５０の出力信号の論理レベルが“１”となる場合には、必ず高感度過電流判定要素５１の出力信号の論理レベルが“１”となるので、高感度過電流判定要素５１の判定結果は、トリップ信号ＴＲ３の出力に影響しない。
【００６３】
以上のとおり、第４の実施形態のＣＢＦリレー３０Ｅによれば、保護リレーシステム１０が点検状態であるか否かを判定するための検知器１３０の出力信号に基づいて、ＣＢＦ検出要素４０Ｅの整定値が動的に変更される。したがって、保護リレーシステム１０の点検時にＣＢＦリレー３０Ｅにトリップ信号が誤入力された場合でも、ＣＢＦリレー３０Ｅの誤動作を防止することができる。
【００６４】
＜第５の実施形態＞
図１１は、第５の実施形態によるＣＢＦリレーの機能的構成を示すブロック図である。図１１のＣＢＦリレー３０Ｆは、ＣＢＦ検出要素４０Ｆの構成が図１０のＣＢＦ検出要素４０Ｅの構成と異なる。図１１のＣＢＦリレー３０Ｆのその他の構成は、図１０のＣＢＦリレー３０Ｅの構成と同様であるので、同一または相当する部分には同一の参照符号を付して説明を繰り返さない。
【００６５】
図１１のＣＢＦ検出要素４０Ｆは、図４のＣＢＦ検出要素４０Ａおよび図８のＣＢＦ検出要素４０Ｄとほぼ同じ構成を有し、過電流判定要素４１と整定値変更処理回路６３とを含む。
【００６６】
過電流判定要素４１は、図１の電流変成器７からの電流検出信号ＣＳが整定値を超えているか否かを判定し、電流検出信号ＣＳが整定値を超えている場合に過電流を表す論理レベル“１”の信号を出力する。さらに、ＣＢＦリレー３０ＦのＡＮＤゲート４３は、過電流判定要素４１の出力信号の論理レベルが“１”であり、かつ、メインリレー２０からのトリップ信号ＴＲ２の論理レベルが“１”である場合に、オンディレータイマ４４を介してトリップ信号ＴＲ３を周辺の遮断器５，６に出力する。
【００６７】
整定値変更処理回路６３は、検知器１３０からの出力信号（切替信号ＳＳ３）が活性状態（“１”）のときに過電流判定要素４１の整定値を、負荷電流の大きさよりも小さな大きさの事故電流（想定される最も小さい大きさの事故電流）を検出可能な値（高感度の整定値）に設定する。整定値変更処理回路６３は、検知器１３０からの出力信号（切替信号ＳＳ３）が非活性状態（“０”）のときに過電流判定要素４１の整定値を、負荷電流よりも大きな事故電流のみを検出可能な値（低感度の整定値）に設定する。以下、整定値変更処理回路６３の動作を図１２のフローチャートを参照してより具体的に説明する。
【００６８】
図１２は、図１１の整定値変更処理回路による整定値変更手順を示すフローチャートである。図１２の例では、図１１の検知器１３０は、保護リレーシステム１０を収納するキャビネットの後扉の開閉もしくはキャビネット内の端子台のカバーの開閉を検知するためのリミットスイッチまたは近接センサである。
【００６９】
図１１および図１２を参照して、整定値変更処理回路６３は、後扉または端子台カバーが開状態（切替信号ＳＳ３の論理レベルが“０”）の場合には（ステップＳ３００でＮＯ）、過電流判定要素４１の整定値が低感度の整定値でなければ（ステップＳ３１０でＮＯ）、過電流判定要素４１の整定値を低感度の整定値に変更する（ステップＳ３２０）。
【００７０】
一方、整定値変更処理回路６３は、後扉または端子台カバーが閉状態（切替信号ＳＳ３の論理レベルが“１”）の場合には（ステップＳ３００でＹＥＳ）、過電流判定要素４１の整定値が低感度の整定値であれば（ステップＳ３３０でＹＥＳ）、過電流判定要素４１の整定値を高感度の整定値に変更する（ステップＳ３４０）。
【００７１】
以上の第５の実施形態のＣＢＦリレー３０Ｆによれば、保護リレーシステム１０が点検状態であるか否かを検知するための検知器１３０の出力信号に基づいて、ＣＢＦ検出要素４０Ｆの過電流判定要素４１の整定値を動的に切り替えることができる。したがって、保護リレーシステム１０の点検時にＣＢＦリレー３０Ｆにトリップ信号ＴＲ２が誤入力された場合でも、ＣＢＦリレー３０Ｆの誤動作を防止することができる。
【００７２】
＜第６の実施形態＞
以上の第１〜第５の実施形態のＣＢＦ検出要素４０Ａ〜４０Ｆは任意に組わせることができる。異なる手段のＣＢＦ検出要素を組み合わせることによって、より確実にＣＢＦリレーの誤動作を防止することができる。第６の実施形態では、図１０のＣＢＦ検出要素４０Ｅと、図８のＣＢＦ検出要素４０Ｄおよび動作モード設定回路６０とを組み合わせたものである。以下、図１３を参照して具体的に説明する。
【００７３】
図１３は、第６の実施形態によるＣＢＦリレーの機能的構成を示すブロック図である。図１３のＣＢＦ検出要素４０Ｇは、図１０の高感度過電流判定要素５１に代えて図８の過電流判定要素４１および整定値変更処理回路６１を含む点で、図１０のＣＢＦ検出要素４０Ｅと異なる。さらに、図１３のＣＢＦリレー３０Ｇは、図８の動作モード設定回路６０を含む。
【００７４】
図８および図９で説明したように、整定値変更処理回路６１は、ＣＢＦリレー３０Ｇの動作モードが「試験モード」（切替信号ＳＳ２の論理レベルが“０”）の場合には、過電流判定要素４１の整定値を低感度の整定値にする。一方、整定値変更処理回路６１は、ＣＢＦリレー３０Ｇの動作モードが「通常運転モード」（切替信号ＳＳ２の論理レベルが“１”）の場合には、過電流判定要素４１の整定値を高感度の整定値にする。したがって、ＣＢＦリレー３０Ｇの動作モードに応じてＣＢＦ検出要素４０Ｇの整定値を切り替えることができる。
【００７５】
さらに、図１０で説明したように、検知器１３０の出力信号（切替信号ＳＳ３）の論理レベルが“１”（活性状態）の場合、低感度過電流判定要素５０の出力信号によらず、過電流判定要素４１の出力信号に基づいてトリップ信号ＴＲ３が出力されるか否かが判定される。一方、検知器１３０の出力信号（切替信号ＳＳ３）の論理レベルが“０”（非活性状態）の場合、低感度過電流判定要素５０の出力信号に基づいてトリップ信号ＴＲ３が出力されるか否かが判定される。したがって、図１３のＣＢＦリレー３０Ｇによれば、検知器の出力信号（たとえば、キャビネットの後扉の開閉状態）によっても、ＣＢＦ検出要素４０Ｇの整定値を切り替えることができる。
【００７６】
なお、上記の実施形態では、動作モード設定回路６０は、ＣＢＦリレー３０Ｇの動作モードが「試験モード」に設定された場合でも所定時間が経過すると「通常運転モード」に自動的に戻すようにしてもよい。これによって、点検終了後に動作モードを「通常運転モード」に戻し忘れることを防止できる。また、点検中に動作モードが「通常運転モード」に戻ったとしても、検知器１３０からの出力信号（切替信号ＳＳ３）に基づいて、低感度過電流判定要素５０の出力信号が過電流判定要素４１の出力信号よりも優先されるので、ＣＢＦリレー３０Ｇの誤動作を防止することができる。
【００７７】
＜第７の実施形態＞
第７の実施形態のＣＢＦリレー３０Ｈは、第１〜第６の実施形態の場合と異なり、過電流判定要素４１の整定値を動的に変更することはできない。しかしながら、第１〜第６の実施形態の場合と同様に、ＣＢＦリレー３０Ｈは、遮断器不動作を確実に検出するとともに、メインリレー２０からのトリップ信号ＴＲ２を誤検出した場合でも誤動作することがない。以下、図面を参照して具体的に説明する。
【００７８】
図１４は、第７の実施形態によるＣＢＦリレーの機能的構成を示すブロック図である。図１４を参照して、ＣＢＦリレー３０Ｈは、メインリレーからのトリップ信号ＴＲ２が入力されるＤ／Ｉ回路３１と、ＣＢＦ検出要素としての過電流判定要素４１と、系統事故検出要素４５と、ＡＮＤゲート４３と、オンディレータイマ（On-Delay  Timer）４４とを含む。
【００７９】
過電流判定要素４１は、図１の電流変成器７からの電流検出信号ＣＳの大きさと整定値とを比較し、比較結果に基づいて遮断器４の不動作を検出する。ここで、過電流判定要素４１の整定値は、想定される最も小さな大きさの事故電流（電力系統の正常時の負荷電流の大きさよりも小さい）を検出可能な値（高感度の整定値）に設定される。
【００８０】
系統事故検出要素４５は、過電流判定要素４１と異なる手段によって電力系統事故を検出する。したがって、系統事故検出要素４５は、正常時の負荷電流を検出することはない。具体的には図４で説明したように、系統事故検出要素４５は、電流変化幅リレー４６とオフディレータイマ（Off-Delay  Timer）４７とを含む。電流変化幅リレー４６に代えて、電圧変化幅リレーまたは不足電圧リレーなどを用いることもできる。
【００８１】
ＡＮＤゲート４３は、メインリレーからのトリップ信号ＴＲ２が“１”であり、かつ過電流判定要素４１の出力信号の論理レベルが“１”であり、かつ系統事故検出要素４５によって系統事故が検出されている場合に、オンディレータイマ４４を介してトリップ信号ＴＲ３を周辺の遮断器５，６に出力する。
【００８２】
したがって、上記のＣＢＦリレー３０Ｈによれば、過電流判定要素４１の整定値を高感度の値に設定することによって確実に遮断器不動作を検出することができる。さらに、系統事故検出要素４５によって系統事故が検出されない限り、ＣＢＦリレー３０Ｈから周辺の遮断器５，６に対してトリップ信号ＴＲ３が出力されないので、メインリレー２０からのトリップ信号ＴＲ２を誤検出した場合でもＣＢＦリレー３０Ｈが誤動作することはない。
【００８３】
＜第８の実施形態＞
第８の実施形態では、上記の第１〜第７のＣＢＦリレーを適用可能な保護リレーシステムを提供する。第８の実施形態の保護リレーシステム１０は、メインリレー２０から出力されるトリップ信号ＴＲ２，ＴＲ５を２重化することによって、ＣＢＦリレー３０の誤動作を防止するものである。以下、図面を参照して具体的に説明する。
【００８４】
図１５は、第８の実施形態による保護リレーシステムの構成を示すブロック図である。図１および図１５を参照して、保護リレーシステム１０は、メインリレー２０と、ＣＢＦリレー３０と、ＣＢＦリレー３０のＤ／Ｏ回路３５から出力されたトリップ信号ＴＲ３によってオン状態（閉状態）となるスイッチ１１とを含む。
【００８５】
ＣＢＦリレー３０は、第１〜第７の実施形態のＣＢＦリレー３０Ａ〜３０Ｈのいずれも適用することもできる。さらに、ＣＢＦリレー３０は、図１４のＣＢＦリレー３０Ｈにおいて系統事故検出要素４５が設けられていない場合も適用することができる。
【００８６】
メインリレー２０は、電流差動リレーまたは距離リレーなどによって構成される系統事故検出要素２５と、系統事故検出要素２５によって系統事故が検出された場合にトリップ信号ＴＲ１，ＴＲ２，ＴＲ５をそれぞれ出力するための互いに独立なＤ／Ｏ回路２３，２１，２５を含む。
【００８７】
メインリレー２０のＤ／Ｏ回路２３のスイッチがオンすることによって、ＤＣ電源の高電位ＶＤＣｐから低電位ＶＤＣｎの方向にトリップ信号ＴＲ１が流れる。これにより、遮断器４のトリップコイル１４０に電流が流れる。また、メインリレー２０のＤ／Ｏ回路２１のスイッチがオンすることによって、ＣＢＦリレー３０のＤ／Ｉ回路３１にトリップ信号ＴＲ２が入力される。
【００８８】
メインリレー２０のＤ／Ｏ回路２２のスイッチは、スイッチ１１と直列に接続される。したがって、遮断器４の不動作を検出したことによってＣＢＦリレー３０からトリップ信号ＴＲ３が出力された場合には、スイッチ１１およびメインリレー２０のＤ／Ｏ回路２２を介して、トリップ信号ＴＲ５が周辺の遮断器６のトリップコイル１６０に流れる。この結果、遮断器６が開放する。したがって、遮断器６が開放するのは、メインリレー２０からトリップ信号ＴＲ５が出力され、かつ、ＣＢＦリレー３０からトリップ信号ＴＲ２が出力された場合である。
【００８９】
上記の構成によれば、ＣＢＦリレー３０がメインリレー２０からのトリップ信号ＴＲ２を誤検出した場合にも、メインリレー２０のＤ／Ｏ回路２２からトリップ信号ＴＲ５が出力されることはないので、誤って周辺の遮断器６を遮断してしまうことはない。
【００９０】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００９１】
１  電線、４，５，６  遮断器、７  電流変成器、１０  保護リレーシステム、１１  スイッチ、２０  メインリレー、２５，４５  系統事故検出要素、３０，３０Ａ〜３０Ｈ  不動作保護リレー装置（ＣＢＦリレー）、４０Ａ〜４０Ｇ  ＣＢＦ検出要素、４１  過電流判定要素、４２，６１，６３  整定値変更処理回路、４４  オンディレータイマ、４６  電流変化幅リレー、４７  オフディレータイマ、５０  低感度過電流判定要素、５１  高感度過電流判定要素、６０  動作モード設定回路、１３０  検知器、１４０，１６０  トリップコイル、ＣＳ  電流検出信号、ＳＳ１，ＳＳ２，ＳＳ３  切替信号、ＴＲ１〜ＴＲ５  トリップ信号。
【図１】
2017183171.tif 000003
【図２】
2017183171.tif 000004
【図３】
2017183171.tif 000005
【図４】
2017183171.tif 000006
【図５】
2017183171.tif 000007
【図６】
2017183171.tif 000008
【図７】
2017183171.tif 000009
【図８】
2017183171.tif 000010
【図９】
2017183171.tif 000011
【図１０】
2017183171.tif 000012
【図１１】
2017183171.tif 000013
【図１２】
2017183171.tif 000014
【図１３】
2017183171.tif 000015
【図１４】
2017183171.tif 000016
【図１５】
2017183171.tif 000017
【国際調査報告】
2017183171.tif 000018
2017183171.tif 000019
2017183171.tif 000020